(57)【要約】【課題】空間的に浮き上がった情報を表示可能な回転表示装置を簡明かつ低コストに構成するとともに、長期信頼性を向上可能な回転表示装置を提供する。【解決手段】回転表示装置１００は、回転表示部材１２０と、回転表示部材の側端面と対峙して固定保持された光源装置１６０とを備えて構成される。回転表示部材１２０は、基板部１２１に半径方向に並んで設けられた受光部１４１ｉ〜１４８ｉと軸方向に並んで設けられた発光部１４１ｋ〜１４８ｋとを結んで設けられた複数の導光部材１４１〜１４８を有して構成され、光源装置１６０は、受光部の回転軌跡に沿って各受光部と対向して設けられた投光部１７１〜１７８を有して構成される。【選択図】図４
2008228946.tif 000002
【特許請求の範囲】
【請求項１】
回転軸に沿って半径方向外方に延びる基板部を有し回転駆動される回転表示部材と、
半径方向に延びる前記基板部の側端面と対峙して固定保持された光源装置とを備え、
前記回転表示部材は、前記基板部の側端面に半径方向に並んで設けられた複数の受光部と、前記複数の受光部の各々に対応して前記基板部の回転端面に前記回転軸の延びる方向に並んで設けられた複数の発光部と、各々対応する各前記受光部及び各前記発光部を結んで設けられた複数の導光手段とを有し、
前記光源装置は、前記複数の受光部の回転軌跡に沿って各前記受光部と対向して設けられた複数の投光部を有し、
前記投光部から出射された光が、前記受光部から前記導光手段を介して前記発光部に伝達され、前記回転表示部材の回転周面に前記複数の投光部の点灯または点滅状態に応じた情報が表示されるように構成したことを特徴とする回転表示装置。
【請求項２】
前記光源装置に、半径方向に隣接して設けられた前記投光部の間を仕切る同心円状の遮蔽壁を形成するとともに、各前記受光部の先端が前記遮蔽壁の間に位置するように構成したことを特徴とする請求項１に記載の回転表示装置。
【請求項３】
前記回転表示部材は、前記回転軸に沿って第１の半径方向外方に延びる第１基板部と、前記回転軸に沿って第２の半径方向外方に延びる第２基板部とを備え、
前記第１基板部に、当該第１基板部の側端面に半径方向に並んで設けられた複数の第１受光部、前記複数の第１受光部の各々に対応して当該第１基板部の回転端面に前記回転軸の延びる方向に並んで設けられた複数の第１発光部、及び各々対応する各前記第１受光部と各前記第１発光部とを結ぶ複数の第１導光手段を有し、
前記第２基板部に、当該第２基板部の側端面に半径方向に並んで設けられた複数の第２受光部、前記複数の第２受光部の各々に対応して当該第２基板部の回転端面に前記回転軸の延びる方向に並んで設けられた複数の第２発光部、及び各々対応する各前記第２受光部と各前記第２発光部とを結ぶ複数の第２導光手段を有し、
前記光源装置は、前記第１基板部の側端面と対峙して固定配設された第１光源装置と、前記第２基板部の側端面と対峙して固定配設された第２光源装置とからなり、
前記第１光源装置は、前記複数の第１受光部の回転軌跡に沿って各前記第１受光部と対向して設けられた複数の第１投光部を有し、
前記第２光源装置は、前記複数の第２受光部の回転軌跡に沿って各前記第２受光部と対向して設けられた複数の第２投光部を有し、
前記第１，第２投光部から出射された光が、各々前記第１，第２導光手段を介して各前記第１，第２発光部に伝達され、前記回転表示部材の回転周面に各前記複数の第１，第２投光部の点灯または点滅状態に応じた情報が表示されるように構成したことを特徴とする請求項１または請求項２に記載の回転表示装置。
【請求項４】
前記第１光源装置と前記第２光源装置とが、前記回転表示部材を挟んで前記回転軸の延びる方向に対向して配設されることを特徴とする請求項３に記載の回転表示装置。
【発明の詳細な説明】
【技術分野】
【０００１】
本発明は、回転駆動される回転表示部材と光源装置とを有し、回転表示部材の回転周面に文字や図形等の情報を表示させる回転表示装置に関する。
【背景技術】
【０００２】
上記のような回転表示装置は、文字や図形等を空間的に浮き上がったように表示することができるため、パチンコ機やアレンジボール機、スロットマシン等の遊技機に、他の遊技機との差別化を図る手段のひとつとして用いられている。従来の回転表示装置は、モータ等により回転駆動される回転表示部材の回転端面にＬＥＤ等の発光素子を回転軸に沿って一列に並べて設け、回転表示部材の回転中に各発光素子を回転角度位置に応じて点滅制御することにより、残像現象を利用して、回転表示部材の回転周面上に文字や図形等が空間的に浮き上がって視認されるように構成される（例えば、特許文献１を参照）。
【０００３】
【特許文献１】特開２００１−１７６３８号公報
【発明の開示】
【発明が解決しようとする課題】
【０００４】
しかしながら、上記のような従来の回転表示装置は、モータにより回転駆動される回転体側（回転表示部材側）の外周端部に複数の発光素子が設けられていたため、回転体が大型化し及び回転体自体の構成が複雑化するとともに、回転体の質量に応じた大型のモータが必要になるという課題や、発光素子を含む電子部品が高速で回転されるため長期信頼性（耐久性）に問題を生じるおそれがあるという課題があった。
【０００５】
また、回転体に設けられた発光素子を点滅作動させるには、高速回転している回転体に固定体側から信号を伝送する必要がある。このため、従来の回転表示装置では、例えば、回転体の回転角度位置にかかわらず電気信号を伝達可能なスリップリングを用いたり、複数の角度位置で固定体側から伝送したデータを回転体側に設けたメモリに一旦記憶させたうえで所定タイミングて発光素子を点滅させる制御手段が用いられたりしていた。そのため、固定体側から回転体側に信号を伝達する信号伝達部の構成が高度化及び複雑化し生産コストが高額化するという課題があった。
【０００６】
本発明は上記のような課題に鑑みてなされたものであり、空間的に浮き上がった文字や図形等の情報を表示可能な回転表示装置を単純な構造で低コストに生産することができ、かつ長期信頼性を向上可能な回転表示装置を提供することを目的とする。
【課題を解決するための手段】
【０００７】
上記課題を解決して目的を達成するため、本発明に係る回転表示装置は、回転軸に沿って半径方向外方に延びる基板部を有し回転駆動される回転表示部材と、半径方向に延びる前記基板部の側端面と対峙して固定保持された光源装置とを備えて構成される。回転表示部材は、基板部の側端面に半径方向に並んで設けられた複数の受光部と、これら複数の受光部の各々に対応して基板部の回転端面に回転軸の延びる方向に並んで設けられた複数の発光部と、各々対応する各受光部及び各発光部を結んで設けられた複数の導光手段（（例えば、実施形態における第１導光部材１４０、第２導光部材１５０）とを有して構成され、光源装置は、前記複数の受光部の回転軌跡に沿って各受光部と対向して設けられた複数の投光部を有して構成される。そして、投光部から出射された光が、受光部から導光手段を介して発光部に伝達され、回転表示部材の回転周面に複数の投光部の点灯または点滅状態に応じた情報が表示されるように構成する。ここで、「導光手段」は受光部から入射した光を発光部に導く光伝送体であり、例えば柔軟性を有する光ファイバーや一定の形状に成形されたライトガイド、あるいは円筒内面に反射鏡面が形成された中空の光導波路等が該当する。また本明細書において「情報」とは、文字、図形、記号、立体形状、及びこれらと色彩との結合、並びにこれらが時間的に変化する画像等を含む概念であり、視覚によって認識されるものをいう。
【０００８】
なお、本発明において、前記光源装置に、半径方向に隣接して設けられた投光部の間を仕切る同心円状の遮蔽壁を形成するとともに、各受光部の先端が遮蔽壁の間に位置するように構成することが好ましい。
【０００９】
また、前記回転表示部材は、回転軸に沿って第１の半径方向外方に延びる第１基板部と、回転軸に沿って第２の半径方向外方に延びる第２基板部とを備えて構成する。このうち、第１基板部には、この第１基板部の側端面に半径方向に並んで設けられた複数の第１受光部、当該複数の第１受光部の各々に対応して第１基板部の回転端面に回転軸の延びる方向に並んで設けられた複数の第１発光部、及び各々対応する各第１受光部と各第１発光部とを結ぶ複数の第１導光手段（例えば、実施形態における第１導光部材１４０）を設け、第２基板部には、この第２基板部の側端面に半径方向に並んで設けられた複数の第２受光部、当該複数の第２受光部の各々に対応して第２基板部の回転端面に回転軸の延びる方向に並んで設けられた複数の第２発光部、及び各々対応する各第２受光部と各第２発光部とを結ぶ複数の第２導光手段（例えば、実施形態における第２導光部材１５０）を設ける。一方、前記光源装置は、第１基板部の側端面と対峙して固定配設された第１光源装置と、第２基板部の側端面と対峙して固定配設された第２光源装置とからなり、このうち、第１光源装置には、前記複数の第１受光部の回転軌跡に沿って各第１受光部と対向して設けられた複数の第１投光部を有し、第２光源装置は、前記複数の第２受光部の回転軌跡に沿って各第２受光部と対向して設けられた複数の第２投光部を有して構成する。そして、第１，第２投光部から出射された光が、各々第１，第２導光手段を介して各第１，第２発光部に伝達され、回転表示部材の回転周面に各複数の第１，第２投光部の点灯または点滅状態に応じた情報が表示されるように構成する。
【００１０】
なお、前記第１光源装置と前記第２光源装置とが、回転表示部材を挟んで回転軸の延びる方向に対向して配設されることが好ましい。
【発明の効果】
【００１１】
本発明に係る回転表示装置においては、回転表示部材の基板部に半径方向に並んで複数の受光部が設けられ、回転軸の延びる方向に並んで設けられた複数の発光部との間が各々導光手段により接続される。光源装置は、回転表示部材の側端面と対峙して固定保持されており、複数の受光部に対応した複数の投光部が、各受光部の回転軌跡に沿って離隔配設されている。すなわち、本発明に係る回転表示装置では、本体側に固定配設された光源装置の投光部から出射された光が、回転表示部材の回転に応じて受光部に入射し導光手段を介して発光部に伝達され、発光部から出射されることで、回転表示部材の回転周面に投光部の点灯または点滅状態に応じた情報が表示される。このため、回転表示部材側には導光手段のみを設ければ良く、発光素子やメモリのような電子部品を設ける必要が無い。従って、回転表示部材（回転体）の構成を単純化して小型の回転表示装置を構成することができる。
【００１２】
また電子部品を本体側に固定配設できるため、遠心力等の外力に起因する電子部品の損傷を防止して長期信頼性を向上させることができる。さらに、高速回転している回転体に発光素子を点滅作動させるための信号を伝送する必要がなく、本体側に固定された光源装置において発光素子の点灯または点滅作動を制御すればよいため、回転表示装置全体の構成を簡明化できるとともに、低コストで生産することができる。
【００１３】
なお、前記光源装置に同心円状の遮蔽壁を形成して各受光部の先端が遮蔽壁の間に位置するように構成すれば、投光部から出射された光が、径方向に隣接する他の受光部に受光されることなく、必ず投光部に対応した受光部に１：１で伝達される。従って、径方向に隣接する列の投・受光部間でのクロストーク（混信）を低減でき、回転周面に文字や図形等を明瞭に表示させることができる。
【００１４】
また、前記回転表示部材に、回転軸に沿って第１の半径方向外方に延びる第１基板部及び第２の半径方向外方に延びる第２基板部を設け、前記光源装置に、第１基板部の側端面と対峙して固定配設された第１光源装置及び第２基板部の側端面と対峙して固定配設された第２光源装置を設け、第１，第２の各投光部から出射された光が、各々第１，第２導光手段を介して第１，第２発光部に伝達され、回転表示部材の回転周面に各投光部の点灯または点滅状態に応じた情報が表示されるような構成によれば、配置の自由度が高い本体側に複数の光源装置を設けた簡明な構成で、回転表示部材の回転周面に複数の異なる情報を容易に表示させることができる。なお、第１，第２光源装置は、外観構成上一体の光源装置を角度分割または時分割して複数光源とする構成が含まれる。
【００１５】
上記発明において、第１光源装置と第２光源装置とが回転表示部材を挟んで回転軸の延びる方向に対向して配設されるような構成によれば、回転表示部材の回転周面における異なる角度位置に複数の異なる情報を表示できることに加えて、同一の角度位置に異なる情報を重ねて表示させること（例えば文字と図形とを異なる色彩で重ねて表示させること）が可能となり、複雑な情報表示を簡明な構成で実現することができる。
【００１６】
従って、本発明によれば、空間的に浮き上がった情報を表示可能な回転表示装置を単純な構造で低コストに生産することができ、かつ長期信頼性を向上させた回転表示装置を提供することができる。
【発明を実施するための最良の形態】
【００１７】
以下、図面を参照して本発明の好ましい実施形態について説明する。本発明を適用した遊技機の一例としてパチンコ機ＰＭの正面図を図１に示し、このパチンコ機ＰＭに用いられる遊技盤１０の正面図を図２に示しており、まずこれらの図面を参照してパチンコ機ＰＭの全体構成について概要説明する。
【００１８】
パチンコ機ＰＭは、外郭方形の所定枠サイズに構成されて縦向きの固定保持枠をなす外枠１の開口前面に、これに合わせた方形枠サイズに構成された開閉搭載用の前枠２が互いの正面左側上下に配設された枠ヒンジ機構３ａ，３ｂにより前方に横開き開閉および着脱が可能に取り付けられ、正面右側に設けられた施錠装置４を利用して常には外枠１と係合連結された閉止状態に保持される。
【００１９】
前枠２の前面側では、前側面域に合わせた方形状のガラス扉５および球皿ユニット６が正面左側部に設けられたヒンジ機構７ａ，７ｂ，７ｃにより横開き開閉および着脱が可能に組付けられ、常には施錠装置４を利用して閉鎖状態に保持される。球皿ユニット６の右側下部には遊技球の発射操作を行う発射ハンドル８が設けられている。前枠２の上部には、遊技盤１０を着脱可能に収容保持する収容枠が設けられており、この収容枠に所定のゲージ設定で構成された遊技盤１０が着脱可能に取り付けられ、常には閉鎖保持されるガラス扉５のガラス窓を通して前面の遊技領域ＰＡを遊技者に臨ませるようになっている。
【００２０】
遊技盤１０は、一般的には、積層合板の表面にセルが粘付された化粧板１１を基板として構成され、その前面側に内外の案内レール１２，１２に囲まれて遊技球が転動可能な略円形の遊技領域ＰＡが形成される。遊技領域ＰＡには、多数本の遊技釘１３や風車１４とともに、固定入賞具や可動入賞具等の各種の入賞具１５、中央に表示開口を有して額縁状に形成され化粧板１１を表裏貫通する装飾枠装着孔に取り付けられた中央飾り２０、中央飾り２０の裏面側に取り付けられ遊技展開に応じた画像を表示する液晶表示パネル２５などが設けられ、遊技領域ＰＡの下端部には、入賞具１５に落入せずに落下した遊技球を遊技盤１０の裏面に排出させるアウト口１６が設けられている。ガラス扉５および遊技盤１０の各部には、ＬＥＤやランプ等を用いた種々の電飾装置１８，１８…が設けられている。
【００２１】
遊技盤１０の後方に位置する前枠２の裏面側には、詳細図示を省略するが、裏セット盤と称される機構セット盤が取り付けられており、ここに、球貯留タンクや球払出装置などの賞球の払出機構、遊技盤１０から排出されたセーフ球やアウト球等の遊技済み球を遊技施設の回収装置に導く遊技済み球排通路などの球処理機構が設けられている。また、裏セット盤の後面各部には、パチンコ機ＰＭの作動を統括的に制御する主制御基板、主制御基板における遊技展開状況に応じて液晶表示パネル２５、電飾装置１８、スピーカ、次述する回転表示装置１００等の作動を制御し遊技展開を視覚的・聴覚的に演出する演出制御基板、主制御基板からの指令信号に基づいて球払出装置の作動を制御する払出制御基板、発射ハンドル８からの操作信号に応じて遊技球発射装置の作動を制御する発射制御基板などの種々の回路基板が取り付けられ、これらがコネクタケーブルで接続されてパチンコ機ＰＭが作動可能に構成される。
【００２２】
このように概要構成されるパチンコ機ＰＭにあって、中央飾り２０に設けられた回転表示装置１００の構成例を、図３〜図７の各図に示す。ここで、図３は回転表示装置１００の分解斜視図、図４は回転表示装置１００のモータ軸に沿った面での側断面図、図５は図４中のV−V矢視方向に見た平面図、図６(ａ)(ｂ)(ｃ)は回転表示装置１００における回転表示部材１２０を構成するホルダープレートの部材図（三面図）、図７(ａ)(ｂ)は光源装置の構成形態を示す図面（平面図及び断面図）である。なお、以降では説明の便宜上から、図４における紙面の上下左右方向をもって上下左右と称して説明する。
【００２３】
回転表示装置１００は、モータ１１０によって回転される回転表示部材１２０と、回転表示部材１２０の側端面と対峙して固定保持された光源装置１６０（１６１，１６２）とを主体として構成される。モータ１１０は、回転表示部材１２０を1200rpm以上の所定回転数で回転させる電気モータであり、例えば市販のＤＣモータを用いて構成することができる。
【００２４】
回転表示部材１２０は、導光部材ホルダ１２５とこの導光部材ホルダ１２５に固定保持された複数の導光部材１４０，１５０とから構成される。導光部材ホルダ１２５は、モータ１１０の出力軸１１６に嵌合連結される円筒状のボス部１２３と、このボス部１２３から半径方向外方に突出する平板状の基板部１２１，１２２とからなり、実施形態ではボス部１２３の軸（回転軸）ＣＬを中心とする１８０度の回転対称位置に、２箇所の基板部（第１基板部１２１，第２基板部１２２）を形成している。また、導光部材ホルダ１２５は、第１基板部１２１及び第２基板部１２２の板厚中心で分割した前後２枚のホルダプレート１２５ａ，１２５ｂを各々射出成型等の成形手段により形成し、これら２枚のホルダプレート１２５ａ，１２５ｂの間に導光部材１４０，１５０を挟み込み、接着や溶着、ロック爪あるいはネジ等の接合手段により一体化して回転表示部材１２０を形成した構成例を示す。
【００２５】
ホルダープレート１２５ａ，１２５ｂには、導光部材を位置決めして固定保持するための溝部が形成されている。図６(ａ)(ｂ)(ｃ)に一方のホルダープレート１２５ａの三面図を示すように、第１基板部１２１を形成する第１板部１２６に、複数の第１導光部材１４０を固定保持するための第１溝部１３１が形成され、第２基板部１２２を形成する第２板部１２７に、複数の第２導光部材１５０を位置決め固定するための第２溝部１３２が形成されている。ここで、第１導光部材１４０及び第２導光部材１５０の数、すなわち回転表示装置における軸方向のチャネル数（走査線の数）は、表示しようとする情報の精細度に応じて任意に設定することができるが、実施形態では第１，第２導光部材１４０，１５０の数量をともに８本（１４１〜１４８，１５１〜１５８）とし、これに対応した各８本の溝部第１溝部１３１ａ〜１３１ｈ，第２溝部１３２ａ〜１３２ｈを形成した構成例を示している。
【００２６】
これらの第１溝部１３１ａ〜１３１ｈ及び第２溝部１３２ａ〜１３２ｈは、いずれも板部１２６，１２７において半径方向に延びる側端面（各図における上下の端面）と軸方向に延びる回転端面との間を繋いで断面が半円形の溝状に形成されている。また他方のホルダープレート１２５ｂの第１，第２溝部は、割り面（板部の表面）を境に面対称に形成されている。このため、前後のホルダープレート１２５ａ，１２５ｂを重ね合わせたときに、第１基板部１２１及び第２基板部１２２の内部に屈曲した中空の固定孔が形成される。
【００２７】
一方、第１溝部１３１ａ〜１３１ｈ及び第２溝部１３２ａ〜１３２ｈは、第１，第２基板部１２１，１２２の上下中心高さで回転軸ＣＬと交わり基板部と直交方向に延びる軸を中心として回転対称に形成されており、第１基板部１２１と第２基板部１２２とで溝部の開口する側端面が上下逆になっている。すなわち、第１溝部１３１ａ〜１３１ｈ及び第２溝部１３２ａ〜１３２ｈは、各基板部の回転端面に並ぶ溝の高さ位置が同一であるが、第１溝部１３１ａ〜１３１ｈは、第１基板部１２１の下側の側端面に並んで半径方向の所定位置ｒ1〜ｒ8に形成され、第２溝部１３２ａ〜１３２ｈは、第２基板部１２２の上側の側端面に並んで第１溝部と同一の半径方向所定位置ｒ1〜ｒ8に形成されている。
【００２８】
これらの溝部に固定保持される第１導光部材１４０（１４１〜１４８）及び第２導光部材１５０（１５１〜１５８）は、光を透過させるコア及びコアよりも低屈折率でコアの外周を覆うクラッドを有し、柔軟性を有するファイバー状ないし所定形状に形成されたロッド状の光伝送部材であり、それぞれ一端（受光部）１４１ｉ，１４２ｉ…１４８ｉ、１５１ｉ，１５２ｉ…１５８ｉから入射した光を伝送して他端（発光部）１４１ｋ，１４２ｋ…１４８ｋ、１５１ｋ，１５２ｋ…１５８ｋから出射させる。
【００２９】
具体的には、適宜な形状寸法のガラス製またはプラスティック製の光ファイバーやライトガイドを用いることができ、例えば直径１〜３mm程度のプラスティック光ファイバ（ＰＯＦ）を、第１，第２溝部１３１ａ〜１３１ｈ，１３２ａ〜１３２ｈの形状に合わせて屈曲成型して用いられる。導光部材１４０，１５０は、受光部ｉ側が第１，第２基板部１２１，１２２の側面から所定量突出するように構成される。なお、これまでの説明からも明らかなように、第１溝部１３１と第２溝部１３２とは、１３１ａと１３２ａ、１３１ｂと１３２ｂのように、添え字ａ〜ｈの共通する溝部の形状が同一であり、これに対応する末尾１〜８の第１，第２導光部材１４０，１５０が各々共通部品となるように構成している。
【００３０】
ホルダープレート１２５ａ，１２５ｂには、上下左右の対称位置に位置合わせ用の嵌合突起１２８ｐ及び突起受容穴１２８ｈが各々複数形成されており、これらを嵌合させたときに、第１基板部１２１及び第２基板部１２２の各溝部１３１ａ〜１３１ｈ，１３２ａ〜１３２ｈが整合し、直径が導光部材と同一又はわずかに大きい円形断面の連通孔が形成されるようになっている。このため、第１，第２溝部１３１ａ〜１３１ｈ，１３２ａ〜１３２ｈに第１，第２導光部材１４１〜１４８，１５１〜１５８を嵌め込み、各嵌合受容穴１２８ｈに嵌合突起１２８ｐを嵌合させて前後のホルダープレート１２５ａ，１２５ｂを接着等の接合手段により接合すると、導光部材１４０，１５０が前後の溝部に位置決めされた状態で固定保持され、図３に示すような一体の回転表示部材１２０が形成される。
【００３１】
このようにして形成された回転表示部材１２０では、第１基板部１２１において、第１導光部材１４１〜１４８の各受光部１４１ｉ〜１４８ｉが下方の側端面１２１ｄに半径方向に並んで突出配設され、発光部１４１ｋ〜１４８ｋが回転端面１２１ｓに上下に並んで配設される。また第２基板部１２２においては、第２導光部材１５１〜１５８の各受光部１５１ｉ〜１５８ｉが上方の側端面１２２ｕに半径方向に並んで突出配設され、発光部１５１ｋ〜１５８ｋが回転端面１２２ｓに上下に並んで配設される。
【００３２】
回転表示部材１２０は、導光部材ホルダ１２５と導光部材１４０，１５０とから構成され、発光素子やメモリのような電子部品が設けられていない。このため、電子部品が高速回転されることに起因する部品の損傷を防止するとともに、回転表示部材１２０を小型軽量に構成することができる。また発光部１４１ｋ〜１４８ｋの配設ピッチを導光部材１４０の直径寸法近くまで縮小することができ、光源寸法（例えばＬＥＤの外形寸法）等により一定の幅が必要とされる投光部１７１〜１７８の列間ピッチよりも小さなピッチで発光部を並べることができる（図４と図６とを対比）。
【００３３】
なお、図６中に二点鎖線で付記するように、第１及び第２基板部１２１，１２２の同一半径位置に、基板部を貫通して同一形状の孔部Ａを形成し、あるいは第１及び第２基板部１２１，１２２を、回転対称の枠状のフレーム構成Ｂとしてもよい。このような構成によれば、回転表示部材１２０の慣性モーメント及び空気抵抗を減少させることができ、これによりモータ１１０の所要回転トルクを低減させて、回転表示装置１００をさらに小型化、低コスト化することができる。また、各導光部材の先端を球面状に形成して発光部１３１ｋ〜１３８ｋ，１４１ｋ〜１４８ｋを形成しても良く、発光部に光を拡散させる部材、例えばダイヤカットのプラスティックレンズを設けたり、基板部の回転端面１２１ｓ，１２２ｓに乳白透明のプリズムシートを接着固定し、あるいは光源からの光により蛍光を発生する蛍光チップ等を設けても良い。このような構成によれば、視野角を広げて視認性を向上させることができる。
【００３４】
一方、光源装置１６０は、第１，第２基板部の下側の側端面１２１ｄ，１２２ｄと対峙して回転表示部材１２０の下方に設けられた第１光源装置１６１と、第１，第２基板部の上側の側端面１２１ｕ，１２２ｕと対峙して回転表示部材１２０の上方に設けられた第２光源装置１６２とからなり、第１光源装置１６１及び第２光源装置１６２が回転表示部材１２０を挟んで上下に対向して固定配設される。
【００３５】
第１光源装置１６１，第２光源装置１６２は、回転表示部材１２０がモータ１１０によって回転軸ＣＬを中心に回転されたときの各受光部１４１ｉ〜１４８ｉ，１５１ｉ〜１５８ｉの回転軌跡に沿って設けられ、各受光部と対向する８列の投光部を有して構成される。すなわち、第１光源装置１６１にあっては、第１導光部材の各受光部１４１ｉ〜１４８ｉと同一半径位置ｒ1〜ｒ8に、第１列Ｌ1〜第８列Ｌ8の第１投光部１７１〜１７８が同心円状に設けられ、第２光源装置１６２にあっては、第２導光部材の各受光部１５１ｉ〜１５８ｉと同一半径位置ｒ8〜ｒ1に、第１列Ｌ1〜第８列Ｌ8の第２投光部１８１〜１８８が同心円状に設けられている。
【００３６】
このため、第１列Ｌ1〜第８列Ｌ8の第１投光部１７１〜１７８から出射された光が、各々対向する第１導光部材の受光部１４１ｉ〜１４８ｉに入射して第１導光部材１４１〜１４８を伝播し、各導光部材の出力端である第１発光部１４１ｋ〜１４８ｋから出射される。同様に第１列Ｌ1〜第８列Ｌ8の第２投光部１８１〜１８８から出射された光が、各々対向する第２導光部材の受光部１５１ｉ〜１５８ｉに入射して第２導光部材１５１〜１５８を伝播し、第２発光部１５１ｋ〜１５８ｋから出射される。そして、回転表示部材１２０の回転周面に情報が表示される。回転表示部材１２０の回転により情報が表示される原理を図８に模式的に示す。
【００３７】
回転表示部材１２０は、モータ１１０により高速回転されており、第１基板部１２１の回転端面１２１ｓ、第２基板部の回転端面１２２ｓが交互に遊技者の前方を左から右（又は右から左）に移動する。モータ１１０は等速回転しており、時刻ｔ1から一定の微小時間ｄｔごとの時刻ｔ2，ｔ3，ｔ4…ｔ8における第１基板部１２１先端の軌跡は、図８(ａ)中に一点鎖線で付記するようになり、第１〜第８発光部１４１ｋ〜１４８ｋが、一定間隔で回転周面Ｓ上を水平移動する。
【００３８】
このとき、各時刻における第１〜第８発光部１４１ｋ〜１４８ｋの個々の位置を平面上に投影したのが図８(ｂ)であり、時刻ｔ1〜ｔ8において、第１〜第８発光部１４１ｋ〜１４８ｋが並ぶ上下方向に第１行ｍ1〜第８行ｍ8、各発光部が移動する水平方向（時間軸方向）に第１列ｎ1〜第８列ｎ8の８行×８列のマトリクスとなる。このため、第１光源装置１６１の第１列Ｌ1〜第８列Ｌ8の第１投光部１７１〜１７８の点灯または点滅を制御して、第１〜第８発光部１４１ｋ〜１４８ｋを点灯または点滅させることにより、８行×８列のドットで構成される文字、図形等の種々の情報を表示することができる。
【００３９】
第２基板部１２２による情報表示も同様であり、上下に対向する第１光源装置１６１及び第２光源装置１６２における同一角度領域（例えば図４中の符番１６１ａと１６２ａ）の投光部を同時に点灯または点滅制御したときには、遊技者の前方を交互に移動する第１基板部１２１及び第２基板部１２２の各発光部の残像現象により、異なる情報を重ねて、空間的に浮き上がらせた表示を行うことができる。また第１光源装置１６１及び第２光源装置１６２における異なる角度領域（例えば図４中の符番１６１ａと１６２ｂ）を同時に点灯または点滅制御したときには、同一または異なる情報を異なる位置に、空間的に浮き上がらせて表示することができる。
【００４０】
ここで、第１光源装置１６１及び第２光源装置１６２には、半径方向に隣接して設けられた第１列Ｌ1〜第８列Ｌ8の第１投光部１７１〜１７８，第２投光部１８１〜１８８の間に位置して各列間を仕切る同心円状の遮蔽壁１７９，１８９が形成され、各列の投光部に対応する各受光部１４１ｉ〜１４８ｉ，１５１ｉ〜１５８ｉの突出端部が、平行に並んだ隣接する遮蔽壁１７９：１７９、１８９：１８９の間に位置するように構成されている。このため、各投光部から出射された光が他の受光部に入射することがなく、必ず投光部に対応する列の受光部に１：１で受光される。従って、径方向に高密度で投光部１７１〜１７８，１８１〜１８８を配設しても、隣接する投・受光部間で信号の混信を生じることがなく、クロストークを低減して文字や図形等を明瞭に表示可能な回転表示装置をコンパクトに構成することができる。
【００４１】
図９〜図１１に、第１実施形態の第１，第２光源装置１６１，１６２の構成を示す。以下では、後述する第２実施形態の光源装置と識別するため、第１光源装置１６１及び第２光源装置１６２を光源装置２１０と表示し、第１光源装置への適用例について説明する。なお、図９は本実施形態の光源装置２１０の概要を示すブロック図、図１０は光源装置２１０における第１投光部１７１〜１７８の詳細構成を示す構成図、図１１は光源装置２１０の作用を説明するための説明図である。
【００４２】
光源装置２１０は、回転表示部材１２０の回転角度位置を検出する角度検出器２１１と、この角度検出器２１１から入力される検出信号に基づいて第１投光部１７１〜１７８の点滅を制御する回転表示制御部２１２とを備えて構成される。回転表示制御部２１２は、液晶表示パネル２５や他の電飾装置の作動を制御する演出制御基板に設けられており、遊技展開状況に応じた情報の表示制御が行われるようになっている。
【００４３】
角度検出器２１１は、回転表示部材１２０における第１基板部１２１（または第２基板部１２２）の光源装置２１０に対する方位角を検出する検出器であり、例えば、回転表示部材１２０の回転により旋回する第１基板部１２１が図１１に示すｔ0の角度位置を通過したときに、その通過タイミングを検出するフォトインタラプタや近接センサ等を用いて構成される。
【００４４】
光源装置２１０における第１投光部１７１〜１７８は、図１０に示すように、それぞれ光源２１３と、リング状の発光体２１５、及び光源２１３から出射された光を発光体２１５に集光して入射させるレンズ２１４などからなり、第１列Ｌ1〜第８列Ｌ8の各列に対応して８セット設けられる。光源２１３は、単色またはフルカラーの高輝度ＬＥＤやレーザダイオード等の高速でスイッチング（点滅作動）が可能な固体発光素子が用いられる。発光体２１５は、光源から出射された光（照明光）が入射されたときにリング全体が発光する部材、例えば透光材料製のコアに微細な光散乱材を添加して一定の光拡散性をもたせたライトガイドや、透光部の後面側に反射面を形成して全周発光させるバックライト用ないしリング照明用の導光部材などを用いて構成することができる。
【００４５】
そして、回転表示制御部２１２が、角度検出器２１１から入力される検出信号に基づいて第１列Ｌ1〜第８列Ｌ8の光源２１３，２１３…の作動を制御し、これにより第１投光部１７１〜１７８の点滅を制御して第１基板部１２１の回転周面Ｓに情報を表示させる。
【００４６】
すなわち、図８を参照して既に説明したように、モータ１１０により回転駆動される回転表示部材１２０は略一定の回転速度で回転している。このため、第１基板部１２１の回転角度位置が検出されれば、時刻ｔ1以降一定の微小時間ｄｔごとに第１基板部の回転端面１２１ｓがｔ2，ｔ3…ｔ8の位置を通過し、第１〜第８発光部１４１ｋ〜１４８ｋにより８行×８列のマトリクスを形成することができる。
【００４７】
そこで、本実施形態の光源装置２１０では、第１基板部１２１がｔ0の角度位置を通過するタイミングを角度検出器２１１により検出し、その後一定の遅延時間δｔの経過後に到達するｔ1位置、及びｔ1から一定の微小時間ｄｔ間隔で到達するｔ2，ｔ3，ｔ4…ｔ8の時刻位置に合わせて第１列Ｌ1から第８列Ｌ8の第１投光部１７１〜１７８の各光源２１３，２１３…の点滅作動を制御する。例えば、図１１（ａ）に示すように、時刻ｔ1に第１、第２，第３列Ｌ1，Ｌ2，Ｌ3の第１投光部１７１，１７２，１７３の光源２１３を点灯させ、時刻ｔ2，ｔ3，ｔ4に第１列Ｌ1の光源２１３のみを点灯させ、時刻ｔ5に第１列Ｌ1及び第６，第７，第８列Ｌ6，Ｌ7，Ｌ8の光源２１３を点灯させ、以下同様に各列の光源を点滅させることで同図（ｂ）に示すように数字「７」を表示させることができる。他の数字や文字、図形等の情報についても同様の点滅制御により表示可能である。
【００４８】
またｔ1，ｔ2，ｔ3…ｔ8間の微小時間ｄｔを変更することによって回転周面Ｓに表示する情報の左右方向の幅を変化させることができ、例えば微小時間ｄｔを徐々に増大させることによって数字「７」の字体が徐々に横長に変化する動的な表示を行うことができる。また、ｔ0〜ｔ1の遅延時間δｔを変更することによって回転周面Ｓに表示する情報の位置を左右方向に変化させることができ、例えば遅延時間δｔを徐々に増大させることによって数字「７」が右方に移動する動的な表示を行うことができる。なお、角度検出器２１１において検出される第１基板部１２１の通過時間の間隔（複数回のｔ0の検出間隔）から回転表示部材の回転速度を算出することができ、これにより基準となる遅延時間δｔや微小時間ｄｔを補正して常時正しい角度位置に正確な情報の表示を行うことができる。
【００４９】
従って、回転表示部材１２０の角度位置を常時検出するポテンショメータやロータリーエンコーダ等の高価な検出器を用いることなく、また８個の光源２１３を点滅させる簡明な装置構成で、空間的に浮き上がった情報を種々の表示態様で表示させることができる。
【００５０】
なお、実施例では第１投光部１７１〜１７８を、各々１本のリング状の発光体２１５により円形に形成した構成例を説明したが、各投光部を周方向に複数に分割して各領域ごとに円弧状の発光体を設けても良く、回転表示装置１２０の表示範囲に合わせて一定の角度範囲（例えばパチンコ機前方の１２０度の角度範囲等）に発光体を設けて構成しても良い。
【００５１】
次に、第２実施形態の第１，第２光源装置１６１，１６２について図１２及び図１３を参照して説明する。以下、第１実施形態の光源装置２１０と識別するため、第２実施形態の第１，第２光源装置１６１，１６２を光源装置２２０と表示し、前述同様に第１光源装置への適用例について説明する。なお、図１２は本実施形態の光源装置２２０の概要を示すブロック図、図１３は光源装置２２０の作用を説明するための説明図である。
【００５２】
光源装置２２０は、第１投光部１７１〜１７８の点滅を制御する回転表示制御部２２２を備えて構成される。回転表示制御部２２２は演出制御基板に設けられており、主制御基板からの指令信号に基づいて遊技展開状況に応じた情報の表示制御が行われるようになっている。
【００５３】
光源装置２２０における第１投光部１７１〜１７８は、図１３に示すように、それぞれ第１列Ｌ1〜第８列Ｌ8の各列に沿って周方向に所定の角度ピッチで設けられた光源２２３，２２３，２２３…からなり、各光源２２３が単色またはフルカラーのＬＥＤ等の発光素子により構成される。例えば、第１投光部１７１は、半径ｒ1の同心円上に角度ピッチｄｐで配置された多数の光源２２３，２２３，２２３…により構成される。
【００５４】
この場合、第１基板部１２１に設けられた第１〜第８列Ｌ1〜Ｌ8の受光部１４１ｉ〜１４８ｉは、各対応するＬ1〜Ｌ8の各列上に並んだ光源２２３，２２３，２２３…の上方を角度位置ｐ1，ｐ2，ｐ3…の順に順次通過する。ここで、ｐ1，ｐ2，ｐ3…の角度ピッチｄｐは適宜に設定可能だが、例えば第１実施形態の光源装置２１０における時刻ｔ1，ｔ2，ｔ3…の微小時間ｄｔに相当する角度ピッチとすれば、光源装置２１０と同様の情報表示を行うことができる。
【００５５】
一方、本実施形態の光源装置２２０においては、回転表示制御部２２２が各光源２２３，２２３…の点滅を高速でスイッチング制御する必要がない。すなわち、光源装置２２０では、回転表示部材１２０の回転により第１〜第８列の受光部１４１ｉ〜１４８ｉが、対応する各列上に周方向に並んだ光源２２３，２２３，２２３…の上方を、ｐ1，ｐ2，ｐ3…の順にトレースするように移動する。このとき、いずれかの光源（例えば任意位置の光源を２２３ｘとする）が点灯していれば、当該点灯している光源（２２３ｘ）の上方を移動している間だけ出射光が受光部に入射して発光部が明るく光り、当該光源（２２３ｘ）上を通過すると出射光が受光部に入射しなくなるため発光が消える。よって、回転表示制御部２２２は、回転周面Ｓに表示させようとする情報のマトリクスパターンを、そのまま第１投光部１７１〜１７８に投影して光源２２３，２２３，２２３…を点灯させれば、回転表示部材１２０の回転角度位置に応じた高速のタイミング制御を行うことなく、回転周面に８行×８列のマトリクスを形成することができる。
【００５６】
例えば、前述同様に数字「７」を表示させる場合には、図１３（ａ）に示すように、第１列Ｌ1の第１投光部１７１について角度位置ｐ1〜ｐ8の８箇所の光源２２３を点灯、第２列Ｌ2及び第３列Ｌ3の第１投光部１７２，１７３について角度位置ｐ1，ｐ8の２箇所の光源２２３を点灯、第４列Ｌ4の第１投光部１７４について角度位置ｐ7の光源２２３を点灯させ、以下同様に該当する各列×角度位置の光源２２３を点灯させておくことで、同図（ｂ）に示すように数字「７」を回転周面Ｓに浮き上がらせて表示させることができる。他の数字や文字、図形等の情報についても同様である。
【００５７】
このように、本実施形態の光源装置２２０では、回転周面Ｓに表示させようとする情報を、時間軸を含んだ関数情報に変換する必要がなく、そのまま１：１で第１投光部１７１〜１７８に投影すればよい。文字や図形の動的な変化も同様であり、簡単な制御プログラムで容易に行うことができる。このため、本実施形態の光源装置２２０によれば、角度検出器が不要であり各光源２２３も比較的安価なＬＥＤを使用可能であることに加えて、回転表示制御装部２２２を簡明化することができ、空間的に浮き上がった情報を種々の表示態様で表示可能な回転表示装置を安価に構成することができる。
【００５８】
以上説明したように、本発明の回転表示装置１００によれば、光源装置１６０（１６１，１６２）が回転表示装置１００の本体側に固定保持され、光源装置から出射された光が導光部材１４０，１５０により回転表示部材１２０の発光部に導かれて、回転周面Ｓに情報が表示される。このため、回転表示部材側には基本的に導光部材１４０，１５０のみを設ければ良く、ＬＥＤや制御素子等の電子部品を設ける必要がない。従って、回転表示部材の構成を単純化して回転表示装置を小型に構成することができる。また電子部品が本体側に固定配設されるため、電子部品が高速回転されることに起因する部品の損傷を防止して長期信頼性を向上させることができる。さらに、高速回転している回転体に本体側から制御信号を伝送する必要がないため、回転表示装置全体の構成を簡明化できるとともに、回転表示装置を低コストで生産することができる。
【００５９】
また、回転表示部材１２０を挟んで第１光源装置１６１と第２光源装置１６２とを対向して配設することにより、回転表示部材１２０の回転周面Ｓ上に、文字と図形とを異なる色彩で重ねて表示させたり、回転周面上の左右から異なる図形が現れて衝突するような画像を表示させるような、異なる情報の重複表示を行うことができ、複雑な情報表示を簡明な構成で実現することができる。
【００６０】
従って、本発明によれば、空間的に浮き上がった情報を表示可能な回転表示装置を単純な構造で低コストに生産することができ、かつ長期信頼性を向上させた回転表示装置を提供することができる。
【００６１】
なお、以上説明した実施形態では、回転表示部材１２０として回転軸を挟む１８０度の対向位置に基板部を２箇所設けた構成例を示したが、基板部は１箇所でも良く、また１２０度間隔で３箇所、あるいは９０度間隔で４箇所などのように、より多くの基板部を設けて構成しても良い。また、回転軸が上下方向に延び回転表示部材１２０が水平旋回するような形態の回転表示装置１００について説明したが、回転軸が水平方向に延び回転表示部材１２０が鉛直面内で旋回するように構成してもよく、これを左右に３台連結してスロットマシンのリールユニット（回胴装置）を構成することもできる。さらに、本発明をパチンコ機ＰＭに適用した構成例について説明したが、アレンジボール機や雀球遊技機、スロットマシン等の他種の遊技機に適用することもでき、同様の効果を得ることができる。
【図面の簡単な説明】
【００６２】
【図１】本発明を適用した遊技機の一例として示すパチンコ機の正面図である。
【図２】上記パチンコ機の遊技盤の正面図である。
【図３】回転表示装置の分解斜視図である。
【図４】回転表示装置のモータ軸に沿った面での側断面図である。
【図５】図４中のV−V矢視方向に見た平面図である。
【図６】回転表示部材を構成するホルダープレートの部材図である。
【図７】光源装置の構成形態を示す部材図である。
【図８】回転表示部材の回転により情報が表示される原理を模式的に示す説明図である。
【図９】第１実施形態の光源装置の概要を示すブロック図である。
【図１０】第１実施形態の光源装置における第１投光部の詳細構成を示す構成図である。
【図１１】第１実施形態の光源装置の作用を説明するための説明図である。
【図１２】第２実施形態の光源装置の概要を示すブロック図である。
【図１３】第２実施形態の光源装置の作用を説明するための説明図である。
【符号の説明】
【００６３】
Ｓ  第１，第２基板部の回転周面
ＣＬ  回転表示部材の回転軸
１００  回転表示装置
１１０  モータ
１２０  回転表示部材
１２１  第１基板部（１２１ｄ  下側の側端面、１２１ｓ  回転端面）
１２２  第２基板部（１２２ｕ  上側の側端面、１２２ｓ  回転端面）
１４０（１４１〜１４８）  第１導光部材（導光手段）
１４１ｉ，１４２ｉ…１４８ｉ  第１導光部材の受光部
１４１ｋ，１４２ｋ…１４８ｋ  第１導光部材の発光部
１５０（１５１〜１５８）  第２導光部材（導光手段）
１５１ｉ，１５２ｉ…１５８ｉ  第２導光部材の受光部
１５１ｋ，１５２ｋ…１５８ｋ  第２導光部材の発光部
１６０  光源装置
１６１  第１光源装置
１６２  第２光源装置
１７１〜１７８  第１投光部
１７９  遮蔽壁
１８１〜１８８  第２投光部
１８９  遮蔽壁
２１０  第１実施形態の光源装置
２１１  角度検出器
２１２  回転表示制御部
２１３  光源
２２０  第２実施形態の光源装置
２２２  回転表示制御部
２２３  光源
【図１】
2008228946.tif 000003
【図２】
2008228946.tif 000004
【図３】
2008228946.tif 000005
【図４】
2008228946.tif 000006
【図５】
2008228946.tif 000007
【図６】
2008228946.tif 000008
【図７】
2008228946.tif 000009
【図８】
2008228946.tif 000010
【図９】
2008228946.tif 000011
【図１０】
2008228946.tif 000012
【図１１】
2008228946.tif 000013
【図１２】
2008228946.tif 000014
【図１３】
2008228946.tif 000015